(57)【要約】【課題】落ち葉やビニール袋等の障害物が堆積しても、排水口に排水することが可能な排水ドレンを提供する。【解決手段】複数の排水窓２４を有するごみ除け体２３を備えた排水部２と、該排水部より上方に上部が露出している予備排水部３とを備えた排水ドレン１において、前記予備排水部は、下端部４ｂが下方に開口している本体部４と、該本体部の上方を覆う覆い部５と、側方に排水導入口３０とを有し、該排水導入口は前記排水部より上方に位置し、前記本体部の下端部の開口と連通している。【選択図】図１
2020200603.tif 000002
【特許請求の範囲】
【請求項１】
複数の排水窓を有するごみ除け体を備えた排水部と、該排水部より上方に上部が露出している予備排水部とを備えた排水ドレンにおいて、
前記予備排水部は、下端部が下方に開口している本体部と、該本体部の上方を覆う覆い部と、側方に排水導入口とを有し、該排水導入口は前記排水部より上方に位置し、前記本体部の下端部の開口と連通していることを特徴とする排水ドレン。
【請求項２】
請求項１において、
前記本体部は、上端部の開口が下端部の開口より大きく形成されていることを特徴とする排水ドレン。
【請求項３】
請求項１または２において、
前記本体部は、内方に位置する支持部を有し、
前記予備排水部は、前記覆い部が前記支持部に支持されることで、前記覆い部と前記本体部との間に略全周にわたり側方開口が形成され、該側方開口で前記排水導入口を構成したことを特徴とする排水ドレン。
【請求項４】
請求項１乃至３のいずれか一項において、
前記本体部の内部に上下方向に延びる棒状体をさらに備えることを特徴とする排水ドレン。
【請求項５】
請求項４において、
前記棒状体の下端部は、前記本体部の下端部より下方に位置することを特徴とする排水ドレン。
【請求項６】
請求項１乃至５のいずれか一項において、
前記本体部の下端部は、前記ごみ除け体の下端部より下方に位置することを特徴とする排水ドレン。
【発明の詳細な説明】
【技術分野】
【０００１】
本発明は、軒樋やベランダ等の排水口に取り付ける排水ドレンに関する。
【背景技術】
【０００２】
一般に、雨水を排水する軒樋やベランダ等の屋外の排水口には、落ち葉やビニール袋等の障害物が排水口に流れ込むのを防止する排水窓を備えた排水ドレンが設けられている。このような排水ドレンでは、障害物が排水口に流れ込むのを防止できるが、排水窓が障害物によって塞がれてしまい、雨水が排水口に排水されずに水位が上がりオーバーフローして軒樋から雨水が溢れるおそれがある。そのため、排水窓が障害物によって雨水がせき止められた場合、排水窓より上方に開口を設けた予備排水部によって竪樋に雨水を排水し、軒樋から雨水が溢れることを防止する排水ドレンが知られている（たとえば、特許文献１）。
【先行技術文献】
【特許文献】
【０００３】
【特許文献１】実公平０１−０４２５７７号公報
【発明の概要】
【発明が解決しようとする課題】
【０００４】
しかしながら、特許文献１では、予備排水部の上端が開口されているので、上端の開口が落ち葉やビニール袋等の障害物によって塞がれると、オーバーフローした雨水の排水がスムーズに行われなくなり、雨水が軒樋から溢れるおそれがある。
【０００５】
本発明は、このような事情を考慮して提案されたもので、その目的は、落ち葉やビニール袋等の障害物が堆積しても、排水口に排水することが可能な排水ドレンを提供することにある。
【課題を解決するための手段】
【０００６】
上記目的を達成するために、請求項１に記載の排水ドレンは、複数の排水窓を有するごみ除け体を備えた排水部と、該排水部より上方に上部が露出している予備排水部とを備えた排水ドレンにおいて、前記予備排水部は、下端部が下方に開口している本体部と、該本体部の上方を覆う覆い部と、側方に排水導入口とを有し、該排水導入口は前記排水部より上方に位置し、前記本体部の下端部の開口と連通していることを特徴とする。
【０００７】
請求項２に記載の排水ドレンは、前記本体部は、上端部の開口が下端部の開口より大きく形成されていることを特徴とする。
【０００８】
請求項３に記載の排水ドレンは、前記本体部は、内方に位置する支持部を有し、前記予備排水部は、前記覆い部が前記支持部に支持されることで、前記覆い部と前記本体部との間に略全周にわたり側方開口が形成され、該側方開口で前記排水導入口を構成したことを特徴とする。
【０００９】
請求項４に記載の排水ドレンは、前記本体部の内部に上下方向に延びる棒状体をさらに備えることを特徴とする。
【００１０】
請求項５に記載の排水ドレンは、前記棒状体の下端部は、前記本体部の下端部より下方に位置することを特徴とする。
【００１１】
請求項６に記載の排水ドレンは、前記本体部の下端部は、前記ごみ除け体の下端部より下方に位置することを特徴とする。
【発明の効果】
【００１２】
請求項１に記載の排水ドレンは、上述した構成とされているため、予備排水部の上方から落下してきた障害物によって予備排水部の排水導入口は塞がれにくくなる。
【００１３】
請求項２に記載の排水ドレンは、上述した構成とされているため、本体部全体の開口を大きくすることなく、広い範囲の雨水を本体部に流入させることができる。
【００１４】
請求項３に記載の排水ドレンは、上述した構成とされているため、全周から雨水を予備排水部に流入させることができる。
【００１５】
請求項４に記載の排水ドレンは、上述した構成とされているため、棒状体が本体部内部の排水の流れを誘導することができる。また、棒状体を用いることで、予備排水部に覆い部と本体部との間に略全周にわたり側方開口を容易に設けることができる。
【００１６】
請求項５に記載の排水ドレンは、上述した構成とされているため、予備排水部に流入した雨水の流れを本体部の下方まで誘導することができる。
【００１７】
請求項６に記載の排水ドレンは、上述した構成とされているため、本体部が排水窓から流入した雨水を下方に誘導する整流部となる。
【図面の簡単な説明】
【００１８】
【図１】は、本発明に係る排水ドレンの分解斜視図である。
【図２】（ａ）は、排水ドレンの模式縦断面図、（ｂ）は、障害物が堆積した状態における排水ドレンの模式縦断面図である。
【図３】（ａ）〜（ｄ）は、それぞれ他の実施形態における排水ドレンの模式縦断面図である。
【図４】（ａ）は、排水部に係止足部を備えた変形例の模式縦断面図、（ｂ）は、桟材とリング部を備えた排水部の鍔部の変形例の平面図、（ｃ）は、本体部の外周面に雄ねじ溝が形成された予備排水部の変形例の側面図である。
【発明を実施するための形態】
【００１９】
以下に本発明の実施の形態について図面に基づいて説明する。まず、排水ドレンの基本構成について説明する。なお、一部の図では、他図に付している詳細な符号の一部を省略している。
【００２０】
図１，２に示す排水ドレン１は、複数の排水窓２４を有するごみ除け体２３を備えた排水部２と、排水部２より上方に上部が露出している予備排水部３とを備えている。予備排水部３は、下端部４ｂが下方に開口している本体部４と、本体部４の上方を覆う覆い部５と、側方に排水導入口３０とを有し、排水導入口３０は排水部２より上方に位置し、本体部４の下端部４ｂの開口と連通している。以下、詳しく説明する。なお、本実施形態の排水ドレン１は、軒樋７の下流側の底面７１に開設された排水口７２に取り付けられるものを例として説明する。
【００２１】
排水口７２の上方に取り付けられる排水部２は、筒状体２１と、鍔部２２と、ごみ除け体２３とにより構成されている。筒状体２１は、合成樹脂等で形成され、外径は軒樋７の排水口７２より小径に形成されている。筒状体２１の外周面には、ねじ山等の螺合部２１ａが形成されている。筒状体２１の上端には、外方に突設した鍔部２２が形成されている。また、筒状体２１の上端には、ごみ除け体２３が固着されている。ごみ除け体２３は全体が半球状の格子に形成されており、複数の排水窓２４が開設されている。ごみ除け体２３の頂部２３ａには、後述する予備排水部３の本体部４の一部が挿通される開口が形成されている。なお、ごみ除け体２３は、合成樹脂で形成されてもよく、金網に用いられるような金属材料であってもよい。本実施形態では、筒状体２１とごみ除け体２３とが別体でそれぞれ形成されたものを固着させているが、合成樹脂等で一体に形成されてもよい。
【００２２】
予備排水部３は、本体部４と覆い部５とにより構成されている。本体部４は、排水部２のごみ除け体２３の頂部２３ａより上方に露出し、上方に向けて次第に拡径する排水導入部４１と、ごみ除け体２３の頂部２３ａより下方に位置し、排水導入部４１の下端部４１ｂに上端部４２ａが接続されている上下方向に延びた管状部４２とを有している。これにより本体部４は上端部４ａ（排水導入部４１の上端部４１ａ）の開口が下端部４ｂ（管状部４２の下端部４２ｂ）の開口より大きくなる。排水導入部４１は内周面４１ｃの半ばから内方上方に向けて延びた複数の立設した板状の桟材４３を有する。また、本体部４は、複数の桟材４３のそれぞれ内方の端部４３ａに接続されている、本体部４の内方に位置する円柱状の支持部４４を有する。支持部４４は、本体部４の径方向の略中心に位置し、その中心部に上下に連通している雌ねじ孔４４ａが形成されている。
【００２３】
覆い部５は、中心部が上方に突出するように湾曲した笠状に形成され、本体部４の上端部４ａと略同径に形成されている。覆い部５の下面５ｂは凹曲面となっている。また、下面５ｂの中心部には、棒状体５１の上端部が係止される係止凹部５２が形成されている。棒状体５１は、覆い部５の係止凹部５２から下方に延びて形成されており、上部の一部の外周には支持部４４の雌ねじ孔４４ａに螺合する雄ねじ溝５１ａが形成されている。これにより、覆い部５は支持部４４によって支持され、本体部４の上方を覆い、棒状体５１と支持部４４との協働で、予備排水部３に側方開口が形成される。また、雄ねじ溝５１ａの上方には、外方に突設している突起部５１ｃが形成されている。突起部５１ｃにより、覆い部５の必要以上の下方への移動が規制される。なお、棒状体５１の上端部に雄ねじ溝を形成し、係止凹部５２に雌ネジ溝を形成して螺合されてもよい。
【００２４】
覆い部５が棒状体５１の突起部５１ｃを支持部４４の上端に当接させるようにして本体部４の上方を覆うことで、覆い部５の下端縁部５ｃと本体部４の上端部４ａとの間に略全周にわたり側方開口が形成される。この側方開口が予備排水部３の排水導入口３０となり、本体部４の下端部４ｂの開口と連通している。また、棒状体５１は、本体部４の内部の中心部を通るように配される。以上のようにして構成された予備排水部３の一部が、ごみ除け体２３の上方から頂部２３ａを通して挿通される。頂部２３ａの開口は、予備排水部３の管状部４２が通る大きさで形成されているが、排水導入部４１は上方にかけて次第に拡径する形状であるので、頂部２３ａの開口を排水導入部４１が通れずに引っ掛かる。これにより、予備排水部３は、上部である排水導入部４１が排水部２から露出して、ごみ除け体２３に支持される。以上によって、排水ドレン１は構成される。
【００２５】
次に、排水口７２の下方に取り付けられるドレン受部６について説明する。ドレン受部６は、合成樹脂等で形成され、嵌合段部６１と鍔部６２を有している。嵌合段部６１は排水口７２より小径に形成されている。嵌合段部６１の上部６１Ａは、内周面の一部又は全部に周方向に向けてネジ溝等の螺合受け部６１ａが形成されている。また、嵌合段部６１の下部６１Ｂは、上部６１Ａの螺合受け部６１ａに筒状体２１の螺合部２１ａが螺合されたときに筒状体２１の内周面と下部６１Ｂの内周面とが略面一になるように上部６１Ａより小径に形成されている。また、嵌合段部６１は竪樋８等の上端８ａと連結可能となっており、連結されたときに上部６１Ａの外周面と竪樋８の上端８ａの外周面とが面一になるように、嵌合段部６１は形成されている。嵌合段部６１の上端には、外方に突設した鍔部６２が形成されている。
【００２６】
上述のようにして構成されたドレン受部６を用いて排水ドレン１が排水口７２に装着される例を説明する。排水部２の筒状体２１が、軒樋７の排水口７２の下方に露出するように排水口７２の上方から排水部２を配設する。そして、排水部２の筒状体２１の螺合部２１ａが、嵌合段部６１の螺合受け部６１ａに螺合するように軒樋７の排水口７２の下方にドレン受部６を配設する。排水部２の鍔部２２とドレン受部６の鍔部６２とが、排水口７２の縁部付近を挟持し、排水ドレン１は排水口７２に装着される。
【００２７】
図２（ａ）に示すように、排水口７２に装着された排水ドレン１は、通常は図中の二点鎖線の矢印が示すように、ごみ除け体２３の排水窓２４を通って排水口７２へ雨水が排水される。しかし、落ち葉やビニール袋、塵芥等の障害物Ｇにより排水窓２４が塞がれると、排水窓２４から雨水が排水されにくくなり、排水部２の排水能力が減退して軒樋７内の水位Ｗが上昇する（図２（ｂ）参照）。そして、水位Ｗが本体部４の上端部４ａに達すると、図中の二点鎖線の矢印が示すように、雨水が排水導入口３０を通じて予備排水部３の本体部４内に流入し、排水導入部４１の内周面４１ｃに沿って流れる。本体部４の下端部４ｂは下向きに開口しているので、排水口７２を通じて下方の竪樋８に雨水が排水される。したがって、排水能力が減退した排水部２からの排水と、予備排水部３からの排水とで、軒樋７において想定していた排水能力を確保することができる。
【００２８】
また、覆い部５の上面５ａは湾曲した形状となっているので、上面５ａに雨水がたまりにくくなっており、上面５ａに付着した雨水はやがて軒樋７内に流れる。覆い部５は、本体部４の上端部４ａの開口を覆うので、排水ドレン１の上方から飛来した障害物Ｇが本体部４の上端部４ａの開口に到達するのを阻止する。また、覆い部５は本体部４の上端部と略同径に形成されているので、覆い部５の上面５ａに堆積した障害物Ｇが落下しても、本体部４内に入りにくい構成となっている。
【００２９】
棒状体５１は、本体部４の中心を通るように支持部４４を貫通して下方に延びている。これにより、予備排水部３に流入した雨水は、棒状体５１に接触しやすくなるので、排水効率が上昇し、棒状体５１は、排水導入口３０からの排水の流れを整える整流棒となる。なお、本実施形態では、棒状体５１の下端部５１ｂは、本体部４の下端部４ｂより下方に位置し、筒状体２１の半ば付近に位置する。棒状体５１の下端部が本体部４の下端部４ｂよりも下方に位置するので、本体部４内からスムーズに雨水が排水される。なお、棒状体５１の下端部５１ｂは、図中に示したものに限定されることはなく、さらに上方や下方に位置してもよく、本体部４内に位置してもよく、また筒状体２１よりも下方に位置してもよい。
【００３０】
そして、本体部４の下端部４ｂは、ごみ除け体２３の下端部２３ｂより下方に位置している。これにより、排水窓２４を通じて排水口７２に流れてきた雨水は、本体部４（管状部４２）に接触しながら排水され易くなるので、排水効率が上昇し、本体部４は、排水窓２４からの排水の流れを整える整流部となる。なお、本体部４の下端部４ｂは、図中に示したものに限定されることはなく、さらに上方や下方に位置してもよく、また筒状体２１よりも下方に位置してもよい。
【００３１】
次に図３（ａ）〜（ｄ）を参照して、排水ドレン１の他の実施形態について説明する。なお、図１，２に示す排水ドレン１は第１実施形態とし、図３（ａ）〜（ｄ）に示す排水ドレン１は、第２実施形態〜第５実施形態として説明する。また、第１実施形態と共通する部分の説明は省略する。
【００３２】
図３（ａ）に示す第２実施形態の排水ドレン１は、本体部４の下端部４ｂがごみ除け体２３の頂部２３ａと略同一の上下位置に位置し、本体部４が下端部４ｂから上端部４ａにかけて次第に拡径する形状となっている。つまり本実施形態の本体部４は、第１実施形態の本体部４における管状部４２が形成されておらず、第１実施形態における排水導入部４１のみの構成となっている。また、本体部４の桟材４３に支持されている支持部４４の上端には、上方に突出した係止凸部４４ｂが形成されている。一方、支持部４４の下端には、雌ねじ穴４４ｃが形成され、雌ねじ穴４４ｃに棒状体５１の上端に形成された雄ねじ溝５１ａが螺合される。棒状体５１の下端部５１ｂは、ごみ除け体２３の下端部２３ｂ付近に位置し、棒状体５１の外周面にはらせん状に突設したらせん溝５１ｄが形成されている。らせん溝５１ｄの整流作用によって、棒状体５１は排水を誘導する整流棒となる。覆い部５には、係止凸部４４ｂが嵌合する係止凹部５２が形成されている。支持部４４の係止凸部４４ｂが覆い部５の係止凹部５２に嵌合されることで、覆い部５は本体部４の上方を覆うように支持され、予備排水部３は本体部４の上端部４ａと覆い部５の下端縁部５ｃとの間に、排水導入口３０となる側方開口が形成される。なお、本体部４とごみ除け体２３とは、接着剤等で固着されてもよく、本体部４の外周面の一部に雄ねじ溝を形成し、ごみ除け体２３の頂部２３ａに雌ねじ溝を形成して螺合されてもよく、ごみ除け体２３と本体部４とが一体に形成された構成であってもよい。また、支持部４４の係止凸部４４ｂに雄ねじ溝を形成し、覆い部５の係止凹部５２に雌ネジ溝が形成されてもよい。また、棒状体５１には、らせん溝５１ｄは形成されていなくてもよい。
【００３３】
図３（ｂ）に示す第３実施形態の排水ドレン１の排水導入部４１は、第１，２実施形態とは異なり桟材は用いられず、内周面４１ｃから内方に突出するようにして形成された支持部４４が、周方向に等間隔に複数形成されている。そして、各支持部４４の上端には、それぞれ凹状に開口した係止凹部４４ｄが形成されている。覆い部５の下面５ｂには、支持部４４の係止凹部４４ｄと同軸線上に係止足部５３が配される。係止足部５３は、上端に雄ねじ溝５３ａが形成され、覆い部５の下面５ｂに形成された雌ねじ穴５４に螺合されている。覆い部５の係止足部５３が支持部４４の係止凹部４４ｄに嵌合することで、覆い部５は本体部４の上方を覆うように支持され、予備排水部３は、本体部４の上端部４ａと覆い部５の下面５ｂとの間に、排水導入口３０となる側方開口が形成される。また、覆い部５は、上面５ａの中心部が上方に突出するように湾曲した形状である点は、上述した第１,２実施形態と同様であるが、下面５ｂは凹曲面ではなく平坦面となっており、上面５ａと下面５ｂとの間は中実となっている。本体部４の下端部４ｂは、第１，２実施形態よりも若干下方に位置し、筒状体２１の半ば付近に位置する。なお、覆い部５の下面５ｂの径方向中心に下方に延びる棒状体５１が配されてもよい。
【００３４】
図３（ｃ）に示す第４実施形態の排水ドレン１の本体部４は、排水部２の上方に位置する上端部４ａから筒状体２１の半ば付近に位置する下端部４ｂにかけて同径の筒体で形成されている。つまり本実施形態の本体部４は、第１実施形態における拡径する形状の排水導入部４１は形成されていない構成となっている。本体部４は、内周面４ｃから内方上方に向けて延びた複数の立設した板状の桟材４３を有する。複数の桟材４３のそれぞれの内方の端部４３ａに支持部４４が接続されることで、本体部４は径方向略中心に位置する支持部４４を有する。支持部４４の径方向略中心には、上下に連通している挿通孔４４ｅが形成されている。挿通孔４４ｅには、第１実施形態の支持部４４の雌ねじ孔４４ａとは異なり雌ねじ溝が形成されていない。そのため、棒状体５１の外周面から突設している突起部５１ｃが支持部４４の上端に引っ掛かることで、挿通孔４４ｅに挿通された棒状体５１は支持部４４に支持される。
【００３５】
覆い部５は、棒状体５１に雄ねじ溝が形成されていない点で第１実施形態とは異なる。棒状体５１の下端部５１ｂは、筒状体２１の半ば付近に位置し、本体部４の下端部４ｂと略同位置に位置する。覆い部５は、本体部４の径より大きいごみ除け体２３と略同径に形成されているので、上方から障害物Ｇがごみ除け体２３に堆積しにくくなっている。覆い部５の下面５ｂと本体部４の上端部４ａとの間が側方開口となり排水導入口３０が構成される。なお、覆い部５は、本体部４と略同径に形成されてもよい。また、本体部４とごみ除け体２３とは、接着剤等で固着されてもよく、本体部４の外周面の一部に雄ねじ溝を形成し、ごみ除け体２３の頂部２３ａに雌ねじ溝を形成して螺合されてもよい。また、本体部４の外周面に外方に突設した突起部を設けてごみ除け体２３に引っ掛かる構成であってもよく、ごみ除け体２３と本体部４とが一体に形成された構成であってもよい。
【００３６】
図３（ｄ）に示す第５実施形態の排水ドレン１は、ごみ除け体２３の形状が半球状ではなく、円錐台状の格子に形成されており、複数の排水窓２４が開設されている。予備排水部３は、直線状の横設管状体に形成された覆い部５と、覆い部５の長手方向の中間部の開口している下端部５ｂａに、上端部４ａが接続されている上下方向に延びる管状体の本体部４とが一体に形成されている。横設管状体の覆い部５の側方の開口が排水導入口３０とされる。また、本体部４の下端部４ｂは、ごみ除け体２３の半ば付近に位置する。このように構成された予備排水部３は、外観がＴ字管状となる。本体部４の中途部分がごみ除け体２３の頂部２３ａに固定されているが、本体部４とごみ除け体２３とは、接着剤等で固着されてもよく、本体部４の外周面の一部に雄ねじ溝を形成し、ごみ除け体２３の頂部２３ａに雌ねじ溝を形成して螺合されてもよい。また、本体部４の外周面に外方に突設した突起部を設けてごみ除け体２３の頂部２３ａに引っ掛かる構成であってもよく、ごみ除け体２３と本体部４とが一体に形成された構成であってもよい。また、本体部４の中途部分がごみ除け体２３の頂部２３ａに固定されることに限定されることはなく、予備排水部３がより下方に位置して覆い部５の下面５ｂがごみ除け体２３の頂部２３ａに引っ掛かる構成であってもよい。このような構成であっても、予備排水部３の一部である覆い部５は排水部２の上方に露出し、排水導入口３０は排水部２の上方に位置する。また、本実施形態では棒状体５１が形成されていないが、覆い部５の上方から上面５ａを貫通するようにして棒状体５１が配されてもよい。また、覆い部５の形状は上記のものに限定されることはなく、例えば覆い部５が平面視して十字状の横設管状体であってもよい。
【００３７】
上述した各実施形態では、排水ドレン１は、ドレン受部６に螺合することで排水口７２に取り付けられる態様であったが、これに限定されることはない。例えば、図４（ａ）に示すような、排水部２の鍔部２２の下端に、周方向等間隔に設けられた外方に向けて弾性付勢される係止足部２５を筒状体２１の代わりに設けてもよい。係止足部２５は、上方から排水口７２に差し込まれると、内方に縮径されると共に、その弾性力によってドレン受部６の内周面を押圧することで、排水ドレン１は、排水口７２に取り付けられる。また、排水ドレン１は、ドレン受部６を用いずに直接竪樋８等に接続されてもよい。
【００３８】
また、本体部４の下端部４ｂがごみ除け体２３の下端部２３ｂより下方に位置する構成であれば、図４（ｂ）に示すような、鍔部２２の内縁部２２ａから内方に延びる帯状の桟材２２ｂを複数設けると共に、複数の桟材２２ｂの内方端部２２ｂａをつなぐように環状のリング部２２ｃを設けてもよい。リング部２２ｃは鍔部２２の径方向中心に位置し、リング部２２ｃの内径は、本体部４の下端部４ｂが通る程度の大きさに形成されている。これにより、本体部４は、ごみ除け体２３の頂部２３ａとリング部２２ｃの二箇所に挿通されるので、姿勢がぐらつきにくくなり安定する。なお、第５実施形態のように、本体部４の下端部４ｂがごみ除け体２３の半ば付近に位置する構成であれば、ごみ除け体２３の半ばより上方に、同様にして内方に延びる桟材とそれに接続されているリング部を設けて本体部４が挿通される態様であってもよい。
【００３９】
また、図４（ｃ）に示すように、上記各実施形態の本体部４の管状部４２の外周面の略全体に雄ねじ溝４２ｄを形成し、ごみ除け体２３の頂部２３ａの開口に雄ねじ溝４２ｄが螺合される雌ネジ溝を形成してもよい。このようにすれば、本体部４はごみ除け体２３に螺合されて固定されるだけでなく、軒樋７の高さやオーバーフローレベル等に応じて、本体部４がごみ除け体２３に対する螺合具合を調整することで、予備排水部３の排水導入口３０の高さを自在に調整することができる。
【００４０】
上記各実施形態の排水ドレン１を構成する各部材は、上述したものに限定されることはなく、形状や材質は適宜選択される。例えば、第１実施形態等の覆い部５の上面５ａは平坦面であってもよい。また、第１実施形態等の棒状体５１の外周面に刻まれた雄ねじ溝は、棒状体５１の一部ではなく略全部に形成されてもよい。このようにすれば、棒状体５１の雄ねじ溝は、第２実施形態のらせん溝５１ｄのような整流作用を有する整流棒となる。本体部４や棒状体５１の形状や寸法は上述したものに限定されることはなく種々のものが用いられる。そして、上述した各実施形態では、軒樋に排水ドレン１を取り付ける態様だが、これに限定されることはなく、例えばベランダやバルコニー等の排水口に取り付けるものであってもよい。さらに、すでに排水口７２に取り付けられている排水部２や、既製品の排水部２の頂部に開口等を設けて、上述した各実施形態の予備排水部３を取り付けて排水ドレン１としてもよい。
【００４１】
なお、各図に示されている排水ドレン１は模式的に描かれており、各構成部材の形状や寸法関係等は図面に限定されることはない。例えば、第１実施形態等の排水導入部４１の上端部４１ａと管状部４２との径の比率関係は図面に示されているものに限定されることはない。予備排水部３の排水量を大きくするために、排水導入部４１の上端部４１ａの径に対して管状部４２の径を図面に示されているものよりも大きくてもよく、管状部４２の径の大きさに併せてごみ除け体２３の頂部２３ａの開口を大きくしてもよい。また、管状部４２と本体部４の内部に上下方向に延びる棒状体５１との径や長さ等の寸法関係も図面に示されているものに限定されることはない。
【符号の説明】
【００４２】
１          排水ドレン
２          排水部
２３        ごみ除け体
２３ｂ      下端部
２４        排水窓
３          予備排水部
３０        排水導入口
４          本体部
４ａ        上端部
４ｂ        下端部
４４        支持部
５          覆い部
５１        棒状体
５１ｂ      下端部
【図１】
2020200603.tif 000003
【図２】
2020200603.tif 000004
【図３】
2020200603.tif 000005
【図４】
2020200603.tif 000006